(57)【要約】【課題】筒状本体の埋設付近の通り道の崩落を防ぐことができ、通り道を移動する小動物を筒状本体に確実に誘導することができ、筒状本体の内部に落下した小動物が這い上がり脱出することを不可能とすることができるともに、筒状本体を極力小型とすることができる小動物捕獲器を提供する。【解決手段】筒状本体１０を筒軸方向が略鉛直方向となるように埋設させた状態で、横筒部１２を小動物の通り道Ｌに嵌り込むように筒状本体１０から略水平方向に延出させ、筒状本体１０の内部に形成される捕獲房部１４に、筒軸方向切断視で略ハの字状となる傾斜を有する内周壁１０１と、内周壁１０１に連続する略椀状の奥底部１４０とを設ける。【選択図】図３
2015080460.tif 000002
【特許請求の範囲】
【請求項１】
地中に掘削されたモグラなどの小動物の通り道に埋設される筒状本体を備え、前記小動物の通り道を移動する捕獲対象となる小動物を前記筒状本体の内部へと誘導して捕獲する小動物捕獲器において、
前記筒状本体が筒軸方向を略鉛直方向に沿って埋設された状態で、
前記小動物の通り道に嵌まり込むように前記筒状本体から略水平方向に延出して前記小動物を前記筒状本体の内部へと誘導する横筒部と、
該横筒部から誘導された小動物を落下させて捕獲する、前記筒状本体の内部に形成される捕獲房部と
を備え、
前記捕獲房部は、
筒軸方向切断視で略ハの字状となるように傾斜が形成される内周壁と、
該内周壁に連続する、筒軸方向切断視で略椀状に形成される奥底部と
を備えることを特徴とする小動物捕獲器。
【請求項２】
前記奥底部は、奥底の中心が膨出してあることを特徴とする請求項１に記載の小動物捕獲器。
【請求項３】
前記筒状本体の地表側の端部に、該筒状本体の内部に連続するように形成される開口部と、
該開口部を着脱自在に閉塞する蓋体と
を備えることを特徴とする請求項１又は２に記載の小動物捕獲器。
【発明の詳細な説明】
【技術分野】
【０００１】
本発明は、地中に掘削された小動物の通り道に埋設される筒状本体を備え、通り道を移動する捕獲対象となる小動物を、筒状本体の内部へと誘導して捕獲する小動物捕獲器に関する。
【背景技術】
【０００２】
従来、地中に掘削した空洞（通り道）内に棲息している小動物の代表的なものとして、「モグラ」が挙げられる。モグラは、餌となるミミズなどを求めて地中に掘削された通り道を動き回るだけであり、直接的な被害を与えることは稀である。
【０００３】
しかしながら、農作地において、縦横に掘削されたモグラの通り道は、土壌の連続性を分断することにより、保水力や透水力の低下を招き、農作物の生育悪化や枯死という甚大な被害を間接的に引き起こしている。また、モグラ以外の小動物（例えば、ネズミ）などが、通り道を通って農作物を食い荒らすという被害を間接的に引き起こしている。
【０００４】
また、ゴルフ場において、縦横に掘削されたモグラの通り道は、土壌の保水力や透水力の低下を招き、芝生の枯死を招いたり、芝生を無作為に陥没させてゴルフプレイヤーを負傷させるという被害を間接的に引き起こしている。
【０００５】
そこで、このようなモグラ被害への対策として、モグラが嫌悪する音や振動を出力することにより、モグラを撃退する方法が提案されている。
【０００６】
しかしながら、これらの方法は、モグラが音や振動を学習することにより、効果が減少するという問題を有する。また、モグラを撃退するのみでは、モグラの頭数を減らすことができず、根本的な対策とはいえない。
【０００７】
そこで、異なる他のモグラ被害への対策として、小動物捕獲器が提案されている。提案される小動物捕獲器の代表的なものとして、ギロチン型やトラバサミ型の捕獲器が挙げられる（例えば、特許文献１及び２）。
【０００８】
しかしながら、特許文献１及び２記載のギロチン型やトラバサミ型の捕獲器は、構造が複雑であるため、誤動作が生じ易く、製造コストが高いという問題を有する。また、ギロチン刃や鋏部が、捕獲作業者を傷付けるという危険性を有する。
【０００９】
そこで、ギロチン型やトラバサミ型以外に、封入型の捕獲器が提案されている（例えば、特許文献３、４及び５）。封入型の捕獲器は、捕獲対象を本体内部に閉じ込めて捕獲するものであり、ギロチン型やトラバサミ型の捕獲器に比して構造が単純であり、製造コストを抑えることができる。また、捕獲作業者を傷付けるギロチン刃や鋏部を備えていない。
【先行技術文献】
【特許文献】
【００１０】
【特許文献１】特開２０１２−００５４００号公報
【特許文献２】実用新案登録第３１５４１７９号公報
【特許文献３】実用新案登録第３１５６１７８号公報
【特許文献４】実開平３−６７５９０号公報
【特許文献５】実開昭６３−１７３０８０号公報
【発明の概要】
【発明が解決しようとする課題】
【００１１】
しかしながら、特許文献３記載の捕獲器にあっては、筒状本体が筒軸方向が略水平方向となるように埋設されるため、埋設のための地面の掘り起こし面積が広域となるという問題を有する。
【００１２】
これに対して、特許文献４及び５記載の捕獲器にあっては、筒状本体が筒軸方向が略鉛直方向となるように埋設されるため、特許文献３記載の捕獲器とは異なり、地面の掘り起こし面積が最小に抑えられる。
【００１３】
しかしながら、特許文献４及び５記載の捕獲器にあっては、筒状本体の内部に落下した小動物が内周壁を這い上がり脱出することがないよう、筒状本体の筒軸方向（略鉛直方向）の寸法を大きくする必要があり、捕獲器全体が大型になるという問題を有する。
【００１４】
本発明はかかる事情を鑑みてなされたものであり、筒状本体を筒軸方向が略鉛直方向となるように埋設させた状態で、横筒部を小動物の通り道に嵌り込むように筒状本体から略水平方向に延出させ、筒状本体の内部に形成される捕獲房部に、筒軸方向切断視で略ハの字状となる傾斜を有する内周壁と、内周壁に連続する略椀状の奥底部とを設けることにより、筒状本体の埋設付近の通り道の崩落を防ぐことができ、通り道を移動する小動物を筒状本体に確実に誘導することができ、筒状本体の内部に落下した小動物が這い上がり脱出することを不可能とすることができるともに、筒状本体の寸法を極力小型とすることができる小動物捕獲器を提供することを目的とする。
【課題を解決するための手段】
【００１５】
本願請求項１に係る小動物捕獲器は、地中に掘削されたモグラなどの小動物の通り道に埋設される筒状本体を備え、前記小動物の通り道を移動する捕獲対象となる小動物を前記筒状本体の内部へと誘導して捕獲する小動物捕獲器において、前記筒状本体が筒軸方向を略鉛直方向に沿って埋設された状態で、前記小動物の通り道に嵌まり込むように前記筒状本体から略水平方向に延出して前記小動物を前記筒状本体の内部へと誘導する横筒部と、該横筒部から誘導された小動物を落下させて捕獲する、前記筒状本体の内部に形成される捕獲房部とを備え、前記捕獲房部は、筒軸方向切断視で略ハの字状となるように傾斜が形成される内周壁と、該内周壁に連続する、筒軸方向切断視で略椀状に形成される奥底部とを備えることを特徴とする。
【００１６】
本発明は、筒状本体が筒軸方向が略鉛直方向となるように埋設されることにより、地面の掘り起こし面積が最小に抑えられる。
また、本発明は、横筒部が小動物の通り道に嵌まり込むように筒状本体から略水平方向に延出することにより、本体埋設付近の通り道の崩落を防ぐとともに、通り道を移動する小動物を筒状本体の内部に確実に誘導する。
また、本発明は、筒状本体が筒軸方向が略鉛直方向となるように埋設された状態で、筒状本体の内部に形成される捕獲房部が、筒軸方向切断視で略ハの字状となる傾斜を有する内周壁と、内周壁に連続する略椀状の奥底部とを備えることにより、捕獲房部に落下した小動物が内周壁を這い上がり脱出し難くなる。また、筒状本体の寸法を従来の捕獲器に比して極力小型にすることができる。
また、本発明は、捕獲房部の奥底部が略椀状に形成されることにより、捕獲房部に落下した小動物が奥底部で不安定な姿勢となり、房外への脱出が一層困難となる。
【００１７】
本願請求項２に係る小動物捕獲器は、前記奥底部は、奥底の中心が膨出してあることを特徴とする。
【００１８】
本発明は、捕獲房部の奥底部の中心が膨出することにより、捕獲房部に落下した小動物が奥底部で不安定な姿勢となり、房外への脱出が一層困難となる。
【００１９】
本願請求項３に係る小動物捕獲器は、前記筒状本体の地表側の端部に、該筒状本体の内部に連続するように形成される開口部と、該開口部を着脱自在に閉塞する蓋体とを備えることを特徴とする。
【００２０】
本発明は、開口部が筒状本体の内部に連続することにより、筒状本体の内部に落下した小動物の捕獲状況の視認が可能となる。また、本発明は、開口部が筒状本体の地表側の端部に形成されることにより、地表側から小動物の捕獲状況の視認が可能となる。更にまた、本発明は、開口部に着脱自在な蓋体を備えることにより、埋設の際に開口部からの土砂や雨水の侵入を防ぐとともに、必要に応じて蓋体による開口部の閉塞を解除し得る。
【発明の効果】
【００２１】
本発明は、筒状本体の埋設付近の通り道の崩落を防ぐことができ、通り道を移動する小動物を筒状本体に確実に誘導することができ、筒状本体の内部に落下した小動物が這い上がり脱出することを不可能とすることができ、筒状本体の寸法を従来品に比して極力小さくすることができる。
【図面の簡単な説明】
【００２２】
【図１】本発明に係る小動物捕獲器の全体構成を示す斜視図である。
【図２】本発明に係る小動物捕獲器の全体構成を示す斜視図であり、筒状本体の開口部から蓋体を外した状態を示す図である。
【図３】本発明に係る小動物捕獲器の内部構造を示す筒軸方向切断視の断面図である。
【発明を実施するための形態】
【００２３】
（小動物捕獲器１の構造）
本発明に係る小動物捕獲器を実施の形態を示す図面に基づいて以下説明する。図中の１は、小動物捕獲器である。小動物捕獲器１は、例えば、ポリエステルなどの熱硬化性樹脂により形成されている。小動物捕獲器１は、筒状本体１０を備える。
なお、本実施の形態において、筒状本体１０が筒軸方向Ａを略鉛直方向に沿って埋設された状態で、筒状本体１０の上方側に位置する端部を「地表側の端部」といい、筒状本体１０の下方側に位置する端部を「地中側の端部」という。
【００２４】
筒状本体１０は、筒軸方向Ａが略鉛直方向に沿って埋設された状態で、外形が以下のように形成されている。
筒状本体１０は、筒幅方向Ｂの切断視で略円形となる略円筒状をなしており、地表側の端部に開口部１１が形成されている。開口部１１は、筒状本体１０と同様に、筒幅方向Ｂの切断視で略円形となるように形成されており、筒状本体１０の内部に連続している。また、筒状本体１０は、開口部１１の縁付近の側周壁１００に一条のねじ山部１１０が螺旋状に形成されている。
【００２５】
小動物捕獲器１は、開口部１１を着脱自在に閉塞する蓋体２０を備える。蓋体２０は、開口部１１と同様に、筒幅方向Ｂの切断視で略円形となるように形成され、略円形の縁の裏面側にねじ溝部（図示せず）が一条のねじ山部１１０に対応するように形成されている。また、蓋体２０は、略円形の縁の表面側に、一条の突起部２００が螺旋状に形成されるとともに、一条の突起部２００を横切るような格好で膨出部２０１が形成されている。膨出部２０１は、一条の突起部２００より高く膨出している。
【００２６】
また、筒状本体１０は、側周壁１００の中程から筒幅方向Ｂに沿って横筒部１２が延出している。横筒部１２は、上下寸法より左右寸法が大きな略楕円形状をなしており、図３に示すように、小動物の通り道Ｌに嵌り込むように形成されている。また、横筒部１２は、筒状本体１０の内部に連続しており、通り道Ｌを移動する小動物を筒状本体１０内部へと誘導する。
【００２７】
また、筒状本体１０は、横筒部１２の延出箇所から地中側の端部に臨む箇所において、側周壁１００が筒軸方向Ａの切断視で略ハの字状となる傾斜をなして徐々に筒幅寸法が大きくなるように形成され、更に、地中側の端部にお椀を被せたような筒底部１３が形成されている。
【００２８】
また、筒状本体１０は、筒軸方向Ａが略鉛直方向に沿って埋設された状態で、内部が以下のように形成されている。
筒状本体１０は、横筒部１２の延出箇所から地中側の端部に臨む箇所において、内部に捕獲房部１４が形成されている。捕獲房部１４は、内周壁１０１が筒軸方向Ａの切断視で略ハの字状となるように傾斜をなして徐々に筒幅寸法が大きくなるように形成されている。また、捕獲房部１４は、内周壁１０１の傾斜に連続するように、筒軸方向Ａの切断視で略椀状をなす奥底部１４０が形成されている。奥底部１４０は、最奥底が略円形をなし、円形の中心部分が膨出して底丘部１４１が形成されている。
【００２９】
また、捕獲房部１４は、筒状本体１０を極力小型とするために以下の寸法となるように形成されている。例えば、捕獲対象として挙げられるモグラは、西日本に棲息するコウベモグラ、東日本に棲息するアズマモグラ、山地に棲息するミズラモグラ、佐渡島に棲息するサドモグラ、沖縄に棲息するセンカクモグラに区別され、平均全長が最小のもので７センチメートルあり、最大のもので１８．５センチメートルである。
【００３０】
そこで、捕獲房部１４は、筒軸方向Ａの高さ寸法が約１８センチメートルとなるように形成され、筒幅方向Ｂの寸法が最大約１０センチメートルとなるように形成されている。その結果、捕獲房部１４を含む筒状本体１０は、極力小型であり、且つ、捕獲した小動物が這い上がることを困難とし得る寸法となるように形成されている。
【００３１】
（小動物捕獲器１の設置方法）
上述する小動物捕獲器１は、以下のように使用される。小動物捕獲器１は、小動物の通り道Ｌ付近の地面が掘り起こされ、掘り起こされた箇所に、筒状本体１０が筒軸方向Ａを略鉛直方向に沿うように設置される。
【００３２】
次に、小動物捕獲器１は、横筒部１２が小動物の通り道Ｌに嵌め込まれる。このとき、横筒部１２は、略水平方向に延出する格好となる。
【００３３】
次に、小動物捕獲器１は、開口部１１が埋まることがないように、筒状本体１０の周辺が土で埋められる。次に、小動物捕獲器１は、露出する開口部１１から捕獲対象となる小動物の餌が投入される。次に、小動物捕獲器１は、蓋体２０が開口部１１にねじ込まれ、開口部１１が蓋体２０により閉塞される。蓋体２０は、膨出部１１２が所定の位置に来るまでねじ込まれたとき、開口部１１を完全に閉塞する。次に、小動物捕獲器１は、全体が完全に隠れるように土で埋められる。
【００３４】
（小動物捕獲器１の捕獲方法）
埋設された小動物捕獲器１は、以下のように小動物を捕獲する。小動物捕獲器１は、通り道Ｌに嵌め込まれた横筒部１２が、通り道Ｌを移動する小動物を筒状本体１０の内部へと誘導する。次に、小動物捕獲器１は、横筒部１２が誘導した小動物を捕獲房部１４に落下させて捕獲する。
【００３５】
落下した小動物は、捕獲房部１４を這い上がり房外への脱出を試みようとするが、筒軸方向Ａ（略鉛直方向）の切断視で略ハの字状となる捕獲房部１４の内周壁１０１に脱出を阻まれる。また、脱出を阻まれた小動物は、筒軸方向Ａ（略鉛直方向）の切断視で略椀状となる奥底部１４０及び底丘部１４１により、不安定な姿勢とされて徐々に体力を削がれる。例えば、モグラは、非常に大食漢であり１２時間以上を胃の中に食べ物がないと餓死するとされている。
【００３６】
小動物捕獲器１は、餓死した小動物が開口部１１を介して捕獲房部１４から排除されるか、又は、小動物を捕獲した状態のまま全体が焼却処分される。なお、小動物捕獲器１は、ポリエステルにより形成されている場合、焼却により強い刺激臭が発生するものの有毒ガスが発生することがないことが確認されている。
【符号の説明】
【００３７】
１  小動物捕獲器
１０  筒状本体
１００  側周壁
１０１  内周壁
１１  開口部
１１０  ねじ山部
１２  横筒部
１３  筒底部
１４  捕獲房部
１４０  奥底部
１４１  底丘部
２０  蓋体
２００  突起部
２０１  膨出部
【図１】
2015080460.tif 000003
【図２】
2015080460.tif 000004
【図３】
2015080460.tif 000005